(57)【要約】  本発明は、一般に、無線通信分野に関するものであり、詳細には、スペクトル拡散符号分割多元接続（ＣＤＭＡ）セルラー方式通信システムにおける輻輳を検出するための方法および装置に関する。無線ネットワーク制御装置で受信される信号対干渉比誤りレポートの数を測定することによって、受信されたレポートの数が閾値を超えた場合にセル内の潜在的な輻輳を検出する。更に、潜在的な輻輳と重大な輻輳とを区別し、潜在的な輻輳または重大な輻輳が検出されたかどうかに応じて、別の動作を実行してもよい。
2008532360.tif 000002
【特許請求の範囲】
【請求項１】
第１のセル（Ｃ１）において無線リンクまたは無線リンク集合（ＲＬ／ＲＬＳ）を介して複数のユーザ装置（ＵＥ１−ＵＥ２）それぞれと通信する少なくとも１つの第１の無線基地局（ＲＢＳ１）に対して無線ネットワーク制御装置（ＲＮＣ１）がサービスを提供している無線アクセスネットワーク（ＲＡＮ１）内の、前記第１のセル（Ｃ１）において輻輳を検出する方法であって、
ａ）前記無線リンクまたは無線リンク集合（ＲＬ／ＲＬＳ）に関連する、測定された信号対干渉比（ＳＩＲ）と信号対干渉比目標値（ＳＩＲｔ）とに基づいてそれぞれが推定される、複数の信号対干渉比誤りレポート（ＳＩＲｅ，５２０）を受信するステップ（６０１）と、
ｂ）前記第１のセル（Ｃ１）の前記無線ネットワーク制御装置（ＲＮＣ１）において受信される信号対干渉比誤りレポート（ＳＩＲｅ，５２０）の量を測定するステップ（６０２）と、
ｃ）信号対干渉比誤りレポート（ＳＩＲｅ，５２０）の前記測定された量が前記第１のセル（Ｃ１）についての所定の第１の量の閾値（ａｔ１）を上回る場合に、前記第１のセル（Ｃ１）における潜在的な輻輳を検出するステップ（６０４）と、
を備えることを特徴とする方法。
【請求項２】
ｄ）前記第１のセル（Ｃ１）において接続されている無線リンクまたは無線リンク集合（ＲＬ／ＲＬＳ）の量に比べて、前記第１のセル（Ｃ１）について受信されたレポートの前記量が前記第１のセル（Ｃ１）についての所定の第２の量の閾値（ａｔ２）を上回る場合に、前記第１のセル（Ｃ１）における潜在的な輻輳を検出するステップ（６０４）
を更に備えることを特徴とする請求項１に記載の方法。
【請求項３】
ｅ）受信された信号対干渉比誤りレポート（ＳＩＲｅ，５２０）の前記量が前記第１のセル（Ｃ１）についての所定の第３の量の閾値（ａｔ３）を上回る場合に、前記第１のセル（Ｃ１）における重大な輻輳を検出するステップ（６０６）
を更に備えることを特徴とする請求項１又は２に記載の方法。
【請求項４】
前記第１のセル（Ｃ１）についての前記所定の第３の量の閾値（ａｔ３）を上回る信号対干渉比誤りレポート（ＳＩＲｅ，５２０）の前記量は、所定の第１の誤り閾値（ｅｔ１）を下回る信号対干渉比誤り（ＳＩＲｅ）も有することを特徴とする請求項３に記載の方法。
【請求項５】
レポートの前記測定された量は、所定の時間枠の間に受信されたレポートに基づいて推定されることを特徴とする請求項１乃至４のいずれか１項に記載の方法。
【請求項６】
前記第１のセル（Ｃ１）における潜在的な輻輳または重大な輻輳が指摘された場合に、
ｐ）前記第１のセル（Ｃ１）に新たなユーザ装置（ＵＥ４−ＵＥ７）の入場を許可しないステップ（５３０ｐ）と、
ｑ）前記第１のセル（Ｃ１）における少なくとも１つのユーザ装置（ＵＥ１）のための前記無線リンクまたは前記無線リンク集合（ＲＬ／ＲＬＳ）を解放するステップ（５３０ｑ）と、
のうちの少なくとも１つを更に備えることを特徴とする請求項１乃至５のいずれか１項に記載の方法。
【請求項７】
前記第１のセル（Ｃ１）における潜在的な輻輳または重大な輻輳が指摘された場合に、
ｐ）前記第１のセル（Ｃ１）に新たなユーザ装置（ＵＥ４−ＵＥ７）の入場を許可しないステップ（５３０ｐ）と、
ｒ）前記第１のセル（Ｃ１）における少なくとも１つのユーザ装置（ＵＥ１）のための少なくとも１つの無線アクセスベアラ（ＲＡＢ）を解放するステップ（５３０ｒ）と、
ｓ）少なくとも１つのユーザ装置（ＵＥ１）のための専用物理チャネルを前記第１のセル（Ｃ１）における共通物理チャネルに切り替えるステップ（５３０ｓ）と、
のうちの少なくとも１つを更に備えることを特徴とする請求項１乃至５のいずれか１項に記載の方法。
【請求項８】
前記ステップｒ（５３０ｒ）は、最高のサービス品質（ＱｏＳ）を持つ前記少なくとも１つのユーザ装置（ＵＥ１−ＵＥ３）のための１つの無線アクセスベアラ（ＲＡＢ）を解放することによって実行されることを特徴とする請求項７に記載の方法。
【請求項９】
前記少なくとも１つのステップ（５３０ｐ，５３０ｑ；５３０ｐ，５３０ｒ，５３０ｓ）は、既知のアルゴリズムに従って、或いは前記第１のセル（Ｃ１）における前記少なくとも１つのユーザ装置（ＵＥ１−ＵＥ３）のために事前に定められた順序に従って、順番に実行されることを特徴とする請求項６乃至８のいずれか１項に記載の方法。
【請求項１０】
前記少なくとも１つのステップ（５３０ｑ；５３０ｒ，５３０ｓ）は、前記第１のセル（Ｃ１）における所定の時間枠の間の全てのレポートのうち最小の信号対干渉比誤り（ＳＩＲｅ）を有する信号対干渉比誤りレポート（ＳＩＲｅ，５２０）を前記所定の時間枠の間に送信した前記少なくとも１つのユーザ装置（ＵＥ１−ＵＥ３）に対して実行されることを特徴とする請求項６乃至９のいずれか１項に記載の方法。
【請求項１１】
前記少なくとも１つのステップ（５３０ｑ；５３０ｒ，５３０ｓ）は、前記第１のセル（Ｃ１）における前記所定の時間枠の間の全てのレポートのうち次に小さい信号対干渉比誤り（ＳＩＲｅ）を有する信号対干渉比誤りレポート（ＳＩＲｅ，５２０）を前記所定の時間枠の間に送信した、次の１つのユーザ装置（ＵＥ１−ＵＥ３）に対して実行されることを特徴とする請求項１０に記載の方法。
【請求項１２】
前記少なくとも１つのステップ（５３０ｐ，５３０ｑ；５３０ｐ，５３０ｒ，５３０ｓ）は、潜在的な輻輳が指摘されたか或いは重大な輻輳が指摘されたかに応じて実行されることを特徴とする請求項６乃至１１のいずれか１項に記載の方法。
【請求項１３】
前記少なくとも１つのステップ（５３０ｑ；５３０ｒ，５３０ｓ）は、所定の第１の誤り閾値（ｅｔ１）を下回る信号対干渉比誤り（ＳＩＲｅ）を持つ信号対干渉比誤りレポート（ＳＩＲｅ，５２０）を送信した、前記第１のセル（Ｃ１）における全てのユーザ装置に対して実行されることを特徴とする請求項６乃至１２のいずれか１項に記載の方法。
【請求項１４】
前記少なくとも１つのステップ（５３０ｑ；５３０ｒ，５３０ｓ）は、信号対干渉比誤りレポート（ＳＩＲｅ，５２０）を送信した全てのユーザ装置に対して実行されることを特徴とする請求項６乃至１２のいずれか１項に記載の方法。
【請求項１５】
前記信号対干渉比誤りレポート（ＳＩＲｅ，５２０）は、前記第１の無線基地局（ＲＢＳ１）から前記無線ネットワーク制御装置（ＲＮＣ１）へ送信されることを特徴とする請求項１乃至１４のいずれか１項に記載の方法。
【請求項１６】
無線アクセスネットワーク（ＲＡＮ１）内の第１のセル（Ｃ１）において輻輳を検出する無線ネットワーク制御装置（ＲＮＣ１）であって、
当該無線ネットワーク制御装置（ＲＮＣ１）は、前記第１のセル（Ｃ１）において無線リンクまたは無線リンク集合（ＲＬ／ＲＬＳ）を介して複数のユーザ装置（ＵＥ１−ＵＥ２）それぞれと通信する少なくとも１つの第１の無線基地局（ＲＢＳ１）に対してサービスを提供しており、
ａ）前記無線リンクまたは無線リンク集合（ＲＬ／ＲＬＳ）に関連する、測定された信号対干渉比（ＳＩＲ）と信号対干渉比目標値（ＳＩＲｔ）とに基づいてそれぞれが推定される、複数の信号対干渉比誤りレポート（ＳＩＲｅ，５２０）を受信する手段（４１２）と、
ｂ）前記第１のセル（Ｃ１）の前記第１の無線基地局（ＲＢＳ１）から受信される信号対干渉比誤りレポート（ＳＩＲｅ，５２０）の量を測定する手段（４１３）と、
ｃ）受信された信号対干渉比誤りレポート（ＳＩＲｅ，５２０）の前記測定された量が前記第１のセル（Ｃ１）についての所定の第１の量の閾値（ａｔ１）を上回る場合に、前記第１のセル（Ｃ１）における潜在的な輻輳を検出する手段（４１３）と、
を備えることを特徴とする無線ネットワーク制御装置。
【請求項１７】
ｄ）前記第１のセル（Ｃ１）において接続されている無線リンクまたは無線リンク集合（ＲＬ／ＲＬＳ）の量に比べて、前記第１のセル（Ｃ１）について受信された信号対干渉比誤りレポート（ＳＩＲｅ，５２０）の前記量が前記第１のセル（Ｃ１）についての所定の第２の量の閾値（ａｔ２）を上回る場合に、前記第１のセル（Ｃ１）における潜在的な輻輳を検出する手段（４１３）
を更に備えることを特徴とする請求項１６に記載の無線ネットワーク制御装置（ＲＮＣ１）。
【請求項１８】
ｅ）受信された信号対干渉比誤りレポート（ＳＩＲｅ，５２０）の前記量が前記第１のセル（Ｃ１）についての所定の第３の量の閾値（ａｔ３）を上回る場合に、前記第１のセル（Ｃ１）における重大な輻輳を検出する手段（４１３）
を更に備えることを特徴とする請求項１６又は１７に記載の無線ネットワーク制御装置（ＲＮＣ１）。
【請求項１９】
ｆ）所定の第１の誤り閾値（ｅｔ１）を下回る信号対干渉比誤り（ＳＩＲｅ）を有する、受信された信号対干渉比誤りレポート（ＳＩＲｅ，５２０）の前記測定された量に基づいて、前記第１のセル（Ｃ１）における重大な輻輳を検出する手段（４１３）
を更に備えることを特徴とする請求項１６又は１７に記載の無線ネットワーク制御装置（ＲＮＣ１）。
【請求項２０】
信号対干渉比誤りレポート（ＳＩＲｅ，５２０）の前記測定された量は、所定の時間枠の間に受信されたレポートに基づいて推定されることを特徴とする請求項１６乃至１９のいずれか１項に記載の無線ネットワーク制御装置（ＲＮＣ１）。
【請求項２１】
ｐ）前記第１のセル（Ｃ１）における潜在的な輻輳または重大な輻輳が指摘された場合に、前記第１のセル（Ｃ１）に新たなユーザ装置（ＵＥ４−ＵＥ７）の入場を許可しない手段（４１４ｐ）と、
ｑ）前記第１のセル（Ｃ１）における潜在的な輻輳または重大な輻輳が指摘された場合に、少なくとも１つのユーザ装置（ＵＥ１）のための前記無線リンクまたは前記無線リンク集合（ＲＬ／ＲＬＳ）を解放する手段（４１４ｑ）と、
のうちの少なくとも１つを更に備えることを特徴とする請求項１６乃至２０のいずれか１項に記載の無線ネットワーク制御装置（ＲＮＣ１）。
【請求項２２】
ｐ）前記第１のセル（Ｃ１）における潜在的な輻輳または重大な輻輳が指摘された場合に、前記第１のセル（Ｃ１）に新たなユーザ装置（ＵＥ４−ＵＥ７）の入場を許可しない手段（４１４ｐ）と、
ｒ）前記第１のセル（Ｃ１）における潜在的な輻輳または重大な輻輳が指摘された場合に、少なくとも１つのユーザ装置（ＵＥ１）のための無線アクセスベアラ（ＲＡＢ）を解放する手段（４１４ｒ）と、
ｓ）前記第１のセル（Ｃ１）における潜在的な輻輳または重大な輻輳が指摘された場合に、少なくとも１つのユーザ装置（ＵＥ１）のための専用物理チャネルを共通物理チャネルに切り替える手段（４１４ｓ）と、
のうちの少なくとも１つを更に備えることを特徴とする請求項１６乃至２０のいずれか１項に記載の無線ネットワーク制御装置（ＲＮＣ１）。
【請求項２３】
無線アクセスベアラ（ＲＡＢ）を解放する手段（４１４ｒ）は、前記少なくとも１つのユーザ装置（ＵＥ１−ＵＥ３）のための最高のサービス品質（ＱｏＳ）を持つ１つの無線アクセスベアラ（ＲＡＢ）を解放する手段（４１４ｒ）を更に備えることを特徴とする請求項２２に記載の無線ネットワーク制御装置（ＲＮＣ１）。
【請求項２４】
既知のアルゴリズムに従って、或いは前記第１のセル（Ｃ１）における前記少なくとも１つのユーザ装置（ＵＥ１−ＵＥ３）のために事前に定められた順序に従って実行する少なくとも１つの手段（４１４ｑ；４１４ｒ，４１４ｓ）を更に備えることを特徴とする請求項２１乃至２３のいずれか１項に記載の無線ネットワーク制御装置（ＲＮＣ１）。
【請求項２５】
所定の時間枠の間の全てのレポートのうち最小の信号対干渉比誤り（ＳＩＲｅ）を有する信号対干渉比誤りレポート（ＳＩＲｅ，５２０）を前記所定の時間枠の間に送信した前記少なくとも１つのユーザ装置（ＵＥ１−ＵＥ３）に対して実行する少なくとも１つの手段（４１４ｑ；４１４ｒ，４１４ｓ）を更に備えることを特徴とする請求項２１乃至２３のいずれか１項に記載の無線ネットワーク制御装置（ＲＮＣ１）。
【請求項２６】
前記所定の時間枠の間の全てのレポートのうち次に小さい信号対干渉比誤り（ＳＩＲｅ）を有する信号対干渉比誤りレポート（ＳＩＲｅ，５２０）を前記所定の時間枠の間に送信した、次の１つのユーザ装置（ＵＥ１−ＵＥ３）に対して実行する少なくとも１つの手段（４１４ｑ；４１４ｒ，４１４ｓ）を更に備えることを特徴とする請求項２５に記載の無線ネットワーク制御装置（ＲＮＣ１）。
【請求項２７】
潜在的な輻輳が指摘されたか或いは重大な輻輳が指摘されたかに応じて実行する少なくとも１つの手段（４１４ｐ，４１４ｑ；４１４ｐ，４１４ｒ，４１４ｓ）を更に備えることを特徴とする請求項２１乃至２３のいずれか１項に記載の無線ネットワーク制御装置（ＲＮＣ１）。
【請求項２８】
第１の誤り閾値（ｅｔ１）を下回る信号対干渉比誤り（ＳＩＲｅ）を持つ信号対干渉比誤りレポート（ＳＩＲｅ，５２０）を送信した全てのユーザ装置に対して実行する少なくとも１つの手段（４１４ｑ；４１４ｒ，４１４ｓ）を更に備えることを特徴とする請求項２１乃至２３のいずれか１項に記載の無線ネットワーク制御装置（ＲＮＣ１）。
【請求項２９】
信号対干渉比誤りレポート（ＳＩＲｅ，５２０）を送信した全てのユーザ装置に対して実行する少なくとも１つの手段（４１４ｑ；４１４ｒ，４１４ｓ）を更に備えることを特徴とする請求項２１乃至２３のいずれか１項に記載の無線ネットワーク制御装置（ＲＮＣ１）。
【発明の詳細な説明】
【技術分野】
【０００１】
本発明は、一般に、無線通信分野に関するものであり、詳細には、本明細書では３ＧＰＰ仕様に準拠したＷＣＤＭＡシステムの一例として例示する、スペクトル拡散方式、もしくは符号分割多元接続（ＣＤＭＡ）セルラー方式の通信システムにおける輻輳を検出するための方法および装置に関する。
【背景技術】
【０００２】
同時に動作する多くの送信器を有する通信システムにとって、送信電力を制御する良好な方法は重要であるが、それは、そのような方法が、そのような送信器の相互干渉を減少させるからである。例えば、送信電力制御は、干渉によって制限される通信システム、例えば、広帯域符号分割多元接続（ＷＣＤＭＡ）を用いるシステムにおいて、高いシステム容量を得るために必要である。システムの特性次第では、そのようなシステムにおける電力制御は、上りリンク（すなわち、ユーザ装置からネットワークへの送信）にとって、下りリンク（すなわち、ネットワークからユーザ装置への送信）にとって、あるいはその両方にとって、重要となりうる。
【０００３】
典型的なＷＣＤＭＡシステムでは、送信されることになる情報データストリームは、疑似乱数コード生成器によって生成された、非常に高速のビットレートのデータストリームの上に重ね合わされる。情報信号および疑似乱数信号は、通常、情報信号の符号化もしくは拡散とも呼ばれるプロセスにおいて、乗算によって合成される。各情報信号には、一意の拡散符号が割当てられる。複数の符号化された情報信号が、無線周波数搬送波の変調として送信され、受信器において合成信号として一緒に受信される。符号化された信号はそれぞれ、他の符号化されたすべての信号だけでなく雑音関連の信号とも、周波数においても時間においても、重なり合う。複合信号を一意の拡散符号のうちの１つと相関させることによって、対応する情報信号が分離され、復号される。
【０００４】
上りリンクの観点から認められる、ＷＣＤＭＡシステムにおける送信電力制御の必要性は、現行の３ＧＰＰ仕様（例えば３ＧＰＰ  ＴＳ  ２５．２１４物理レイヤ手順（ＦＤＤ）、３ＧＰＰ  ＴＳ  ２５．１０１ユーザ装置（ＵＥ）無線送受信（ＦＤＤ））において認識されている。
【０００５】
３ＧＰＰ標準による上りリンク電力制御は、数ある技術の中で、閉ループ方式によって提供されるが、閉ループ方式においては、無線基地局は、ユーザ装置から受信された信号の強度（例えば、その関連した雑音と比べて）を測定し、次いで、電力制御命令をユーザ装置に毎秒１５００回送信する。電力制御命令に基づいて、ユーザ装置は、送信（上りリンク）電力を所定の量だけ増加または減少させる。通常、そのようなステップは＋１ｄＢもしくは−１ｄＢである。
【０００６】
無線通信システムにおいて送信電力を制御するこの技術は、一般に高速電力制御ループと呼ばれる。最初のＳＩＲ目標（ＳＩＲｔ）は、特定の接続タイプもしくはサービスタイプについての所望のサービス品質（ＱｏＳ）に基づいて規定される。非直交チャネルについては、図１の具体的な第１のユーザ装置ＵＥ１もしくは無線基地局ＲＢＳ１によって経験される実際の信号対干渉比であるＳＩＲ値は、次式で表されてもよい。
【０００７】
【数１】
2008532360.tif 000003
【０００８】
または、
【０００９】
【数２】
2008532360.tif 000004
【００１０】
ここで、ＲＳＣＰは、受信信号符号電力、ＩＳＣＰは、干渉信号符号電力、そして、ＳＦは、特定のユーザ装置についてのＵＬ  ＤＰＣＣＨ（上りリンク専用物理制御チャネル）の拡散係数であり、詳細は、３ＧＰＰ  ＴＳ  ２５．５１５  Ｖ５．５．０を参照されたい。
【００１１】
理想的には、電力制御によって、図１のすべてのユーザが、同じ信号対干渉比ＳＩＲを経験することが望ましいであろう。これについては、図２に示す理想的な分布曲線を参照されたい。現実には、決してそうはいかず、図２の実際の分布曲線を参照願いたいが、これにはいくつか理由がある。第１に、発生可能最大出力がある。電力制御のもう１つの問題は、それが他のユーザに影響を及ぼすということである。電力の変化が、干渉のレベルを変化させることから、当該被制御リンクの信号対干渉比ＳＩＲを変化させるだけでなく、他のリンクの信号対干渉比ＳＩＲも変化させる。これは、電力制御を備えたシステムにおいても、ユーザ装置が異なれば、信号対干渉比ＳＩＲも異なることがあるであろうということを意味する。理想的には、どのユーザ装置も、図２の斜線部に示すようなポイント２０１を下回る信号対干渉比ＳＩＲとならないことが望ましい。すべてのユーザ装置が最適な信号対干渉比ＳＩＲとなった時、理想的な分布曲線が得られる。
【００１２】
信号対干渉比ＳＩＲは、受信側（例えば、第１のユーザ装置ＵＥ１、または、第１の基地局ＲＢＳ１）によって測定され、どの電力制御命令が送信側（例えば、第１の無線基地局ＲＢＳ１、または、第１のユーザ装置ＵＥ１）に送られるのかを判断するのに用いられる。無線リンクＲＬは、単一のユーザ装置ＵＥと単一の無線アクセスネットワークＲＡＮのアクセスポイントとの間の論理的なアソシエーション（結びつき）である。図１において、第１のユーザ装置ＵＥ１ａおよび無線リンクＲＬによって図解する。その物理的な実現は、１つ以上の無線ベアラ送信を含む。無線アクセスネットワークＲＡＮのアクセスポイントは、無線送受信を行う無線アクセスネットワークＲＡＮの範囲内の概念的なポイントである。無線アクセスネットワークＲＡＮのアクセスポイントは、特定の１つのセルに関連付けられる。すなわち、無線アクセスネットワークＲＡＮのアクセスポイントは、各セルに１つ存在する。信号対干渉比ＳＩＲはまた、無線リンク集合ＲＬＳについて測定されてもよい。無線リンク集合ＲＬＳは、下りリンクＤＬにおいて共通の世代の送信電力制御命令（ＴＰＣ）を有する１つ以上の無線リンクの集合である（３ＧＰＰ  ＴＳ２５．４０１  Ｖ６．４．０を参照）。図１において、第１のユーザ装置ＵＥ１ｂおよび無線リンク集合ＲＬＳによって、図解する。
【００１３】
次いで、ＳＩＲ目標（ＳＩＲｔ）値を継続的に調整するため、低速電力制御ループが用いられてもよい。例えば、ユーザ装置は、例えば既知のビット誤り率（ＢＥＲ）の技術もしくはトランスポートブロック誤り率（ＢＬＥＲ）の技術を用いて、ユーザ装置から受信された信号の品質を測定することができる。受信された信号の品質は無線基地局とユーザ装置との間の接続の過程で変動することもあるが、その信号品質に基づいて、低速電力制御ループは、無線基地局の送信電力を調整するために高速電力制御ループが用いるＳＩＲ目標（ＳＩＲｔ）値を調整することができる。同様の技術は、上りリンクの送信電力を制御するためにも用いることができる。
【００１４】
多様な無線通信サービス、例えば、ファクシミリ、電子メール、ビデオ、インターネット接続等のサポートが、ユーザ装置ＵＥに備えられてもよい。ユーザ装置が、異なるタイプのサービスに同時にアクセスできるようにされてもよい。例えば、２人のユーザ間のテレビ会議には、音声とビデオの両方のサポートが必要であろう。これらの状況に関わる、異なるタイプのデータ通信を処理する技術の１つとして、それぞれのサービスについて異なる無線ベアラを提供することがあげられる。１つの無線ベアラは、無線インタフェースでの情報転送機能を提供し、情報転送速度（すなわち、ビットレートもしくはスループット）および遅延要件等のような属性によって特徴付けられる。１つの無線ベアラは、ユーザデータと制御信号とのうちいずれかを搬送する。一般に、１つのベアラは、例えば音声のような、１つの特定のサービスのために用いられる。１つの無線ベアラが、複数の物理チャネルにわたってもよいし、各無線ベアラの帯域要件によっては、複数の無線ベアラが１つの物理チャネルを共有してもよい。１つ以上の物理データチャネル（ＤＰＤＣＨ）に加えて、ユーザには、例えば関連するＤＰＤＣＨのビットレート情報、送信電力制御ビット、およびパイロットシンボルのようなオーバヘッド制御情報が一定のビットレートでユーザへ搬送される、物理制御チャネル（ＤＰＣＣＨ）を割当てられるであろうが、それが、ＳＩＲ測定が高速電力制御ループプロセスにおいて用いられるようにするために、用いられてもよい。サービスが違い、それゆえ無線ベアラが違えば、ＱｏＳ要件が異なることもある。
【００１５】
例えば国際特許出願ＷＯ  ００／６５７４８は、送信電力制御の方法およびシステムを開示するが、そこでは、達成されたＳＩＲの推定値が、アウターループ電力制御機能の追加パラメータとして用いられる。ＱｏＳと達成されたＳＩＲとが両方共低すぎる場合、ＱｏＳは無視され、代わりに、達成されたＳＩＲによってＳＩＲ目標値が制御される。同様に、ＱｏＳと達成されたＳＩＲとが両方共高すぎる場合、ＱｏＳは無視され、代わりに、達成されたＳＩＲによってＳＩＲ目標値が制御される。
【発明の開示】
【発明が解決しようとする課題】
【００１６】
上りリンクＵＬ干渉は、上りリンクＵＬ負荷の１つの尺度である。しかし、例えば信号対干渉比ＳＩＲのような相対的尺度と比べて、例えば干渉のような絶対的な信号強度のレベルを測定するのは難しい。
【００１７】
ＷＣＤＭＡシステムにとっては、非常に敏感な上りリンクＵＬ負荷を制御することは、すべてのユーザ装置が一斉に送信しているわけだから、特に難しい。
【００１８】
従って、上りリンクＵＬ上で干渉が最適レベルに留まるような無線通信システムを提供することが、極めて望ましいであろうし、あるいは、上りリンクＵＬ上で干渉が最適レベルを超えた場合には、少なくとも、これを検出して、それによって無線通信システムにおけるセル内のユーザ装置にとっての輻輳を回避することが望ましい。
【課題を解決するための手段】
【００１９】
本発明によって取り扱われる問題は、ＵＬ負荷を正確に推定すること、および、容量を制限することなく、コスト効率の高い方法で、セル内のユーザ装置についての輻輳の検出と回避とを行うことである。
【００２０】
手短に言えば、本発明は、受信された信号対干渉比誤りレポートの数を測定することによって、かつ、送信されたレポートの数が閾値を超えた場合にセル内の輻輳の可能性を検出することによって、前記問題を解決する。
【００２１】
具体的には、この問題は、請求項１による方法によって、かつ、請求項１６による無線ネットワーク制御装置によって、解決される。
【００２２】
本発明の１つの目的は、セル内のユーザ装置の輻輳検出の強化を簡易かつ安価な方法で可能にすることである。
【００２３】
本発明の更にもう１つの目的は、セル内のユーザ装置の輻輳の検出精度の向上を可能にすることである。
【００２４】
更に別の目的は、セル内の潜在的な輻輳を回避するか、または、重大な輻輳を改善する目的でユーザ装置を動作させる柔軟な方法を獲得するため、セル内のユーザ装置の潜在的な輻輳（ａｔ１）と重大な輻輳（ｅｔ１、ａｔ２−ａｔ３）とを、区別することである。
【００２５】
本発明によって与えられる利点は、簡易かつ安価な方法で、セル内のユーザ装置の輻輳検出が強化されることである。
【００２６】
本発明の更に別の利点は、セル内のユーザ装置の輻輳を検出する際の精度が向上することである。
【００２７】
更に別の利点は、セル内のユーザ装置の潜在的な輻輳と重大な輻輳とを区別できることであり、また、セル内の潜在的な輻輳を回避するか、または、重大な輻輳を改善して、ユーザ装置を動作させる柔軟な方法が得られることである。
【００２８】
更に別の利点は、セル内のユーザ装置が不安定になりつつあるけれどもセルはまだ安定していることを検出することが可能な場合、セルが不安定になるまでに多少時間があるため、よりソフトな、かつ、もしかするとより直接的な、いくつかの動作を行える可能性があるということである。
【００２９】
本発明のその他の目的、利点、新しい特徴は、添付の図面および請求項に関連して考察すると、下記の本発明の詳細な説明から明らかになるであろう。
【発明を実施するための最良の形態】
【００３０】
図１に描いた典型的な第１のセルＣ１について考察しよう。その中で、第１の無線基地局ＲＢＳ１は、現在、第１のセルＣ１において第１のユーザ装置ＵＥ１ａ、ＵＥ１ｂ、および、第２および第３のユーザ装置ＵＥ２−ＵＥ３との接続を処理しているところである。第２の無線基地局ＲＢＳ２が第６および第７のユーザ装置ＵＥ６−ＵＥ７を処理している第４のセルＣ４、および、更に、第５のセルＣ５も見えている。また、第１の無線基地局ＲＢＳ１は、第３のセルＣ３内の第４および第５のユーザ装置ＵＥ４−ＵＥ５も処理しており、第２のセルＣ２は空である。もちろん、第１の無線基地局ＲＢＳ１が通常は多くのセル（例えばＣ１−Ｃ３）および多くのユーザ装置（例えばＵＥ１−ＵＥ５）との接続を同時にサポートするであろうが、本発明による第１のセルＣ１内の輻輳を検出する場合に関わる電力制御技術を図解するには、無線リンクＲＬ上の単一の第１のユーザ装置ＵＥ１ａもしくは無線リンク集合ＲＬｓ上の単一の第１のユーザ装置ＵＥ１ｂとネットワークとの間の相互作用で十分であるということは、当業者であれば理解するであろう。
【００３１】
この典型的な実施形態という目的で、図１に描かれたシステムが、二重の(duplexed)下りリンク（すなわち、基地局からユーザ装置への方向）チャネルと上りリンク（すなわち、ユーザ装置から基地局への方向）チャネルとを備えたＣＤＭＡ技術を用いて動作すると考えよう。この例では、第１のユーザ装置ＵＥ１には、専用物理チャネルが割当てられている。この典型的なＷＣＤＭＡシステムという文脈において、物理チャネルは、その符号（すなわち、短、長、またはその組み合わせ）、周波数、および帯域幅によって識別される。下りリンクでは、第１の無線基地局ＲＢＳ１が、専用下りリンク物理チャネルに関連付けられた所定の電力レベルを用いて、第１のユーザ装置ＵＥ１へ送信する。上りリンクでは、第１のユーザ装置ＵＥ１が、専用上りリンク物理チャネルに関連付けられた所定の電力レベルを用いて、第１の無線基地局ＲＢＳ１と通信する。第１の無線基地局ＲＢＳ１は、無線ネットワーク制御装置ＲＮＣ１と通信し、次いで、図示されていない移動交換局（ＭＳＣ）と通信する。ＭＳＣは、同様に、図示されていない公衆電話交換網（ＰＳＴＮ）に接続される。
【００３２】
図３に図解されるとおり、第１の無線基地局ＲＢＳ１は、例えば第１のユーザ装置ＵＥ１から信号を受信する受信アンテナ３０１を含む。受信された信号は、例えば、ブロック３０２において増幅され、複数の受信信号処理ブロック３１０ａ、３１０ｂ、３１０ｃ等によって処理されうるが、簡単にするため、そのうち３つだけを図解する。ＷＣＤＭＡ信号の復号／復調に関する具体的な詳細は、当業者には既知であり、従って、本明細書ではこれ以上記述されないであろう。しかし、受信器３１０ａ、３１０ｂ、３１０ｃの各々が例えば相関器を含み、それらの相関器が特定のユーザに割当てられた専用チャネルに対応するコードワードに関連付けられることにより、第１のユーザ装置ＵＥ１によってこれらの物理チャネル上で送信されたデータが、抽出され、通信線ＤＡＴＡ  ＯＵＴ（出データ）３１１ａ、ＤＡＴＡ  ＯＵＴ３１１ｂ、ＤＡＴＡ  ＯＵＴ３１１ｃをそれぞれ介してリージョナルプロセッサ３４０に提供される。抽出されたデータを他の目的で処理することに加えて、リージョナルプロセッサ３４０は、ユーザ装置ユニットの電力制御ループの結果として第１のユーザ装置ＵＥ１によって送信された送信電力制御命令を受信する。
【００３３】
こうして、情報が、リージョナルプロセッサ３４０から電力制御ユニット３３０へ渡され、電力制御ユニット３３０は、電力制御命令を使って、送信器３２０ａ、３２０ｂ、３２０ｃおよび増幅器３０３の送信電力を下記のように調整する。また、リージョナルプロセッサ３４０は、第１の無線基地局ＲＢＳ１によって経験された信号対干渉比ＳＩＲを（例えば、数式（１）および（２）において記述されたように）判断し、かつ、受信された上りリンク信号の品質の尺度（例えば、ビット誤り率（ＢＥＲ）および／またはトランスポートブロック誤り率（ＢＬＥＲ）（ＢＥＲおよびＢＬＥＲのうちの少なくとも一方））を判断するために、上りリンクＵＬにおいて受信信号を分析する。例えば、第１のユーザ装置ＵＥ１について記述された上りリンクにおいて、第１の無線基地局ＲＢＳ１は、第１のセルＣ１においてユーザ装置ＵＥ１について測定された、専用物理制御チャネルＤＰＣＣＨ上で得られた信号対干渉比ＳＩＲを、同じセルＣ１内のユーザ装置ＵＥ２−ＵＥ３および周囲のユーザ装置、例えば、第３のセルＣ３内のユーザ装置ＵＥ４−ＵＥ５および第４のセルＣ４内の近隣のユーザ装置ＵＥ６−ＵＥ７からの干渉と比較して、分析する。得られた信号対干渉比ＳＩＲおよび信号対干渉比目標値ＳＩＲｔから、信号対干渉比誤りＳＩＲｅの値が、専用物理制御チャネルＤＰＣＣＨ上の無線リンクＲＬもしくは無線リンク集合ＲＬＳ上で、例えば、第１のセルＣ１内の第１のユーザ装置ＵＥ１に関連して推定される。これは、更に図５において第１のユーザ装置ＵＥ１から第１の無線基地局ＲＢＳ１への矢印５１０によって図解される。
【００３４】
信号対干渉比ＳＩＲの値が「低」である場合、それは、第１のユーザ装置ＵＥ１が最大電力を使って送信しているが、適切な送信をもたらすにはサービス品質（ＱｏＳ）が「低」すぎることを意味する。その原因は、第１のユーザ装置ＵＥ１が、例えばシャドー・フェージングに遭遇している可能性もあり、第１のユーザ装置が移動するにつれて、送信が例えば樹木や建物のような大きな物体によって妨げられることがある。
【００３５】
第１の無線基地局ＲＢＳ１において、ＳＩＲ誤りの閾値は、例えば、第１の無線基地局ＲＢＳ１がその中で動作中である第１のセルＣ１について、無線ネットワーク制御装置ＲＮＣ１によって設定されるが、適宜変更されることもある。これについては、３ＧＰＰ仕様（例えば、３ＧＰＰ  ＴＳ  ２５．１３３および３ＧＰＰ  ＴＳ  ２５．４３３）を参照されたい。上述の、ＳＩＲおよびＳＩＲｅから推定されるＳＩＲｅ測定は、例えば、第１のセルＣ１内の第１のユーザ装置ＵＥ１に関連付けられる無線リンクＲＬもしくは無線リンク集合ＲＬＳについて、所定の時間内に算出される。ＳＩＲｅ測定の結果が、すなわち、例えば第１のユーザ装置ＵＥ１に関連付けられるＳＩＲｅ値が、無線ネットワーク制御装置ＲＮＣ１によって設定された、無線基地局ＲＢＳ１におけるＳＩＲｅの閾値を上回るか、等しいか、下回る場合（３ＧＰＰ  ＴＳ  ２５．２１５によると、できれば、下回ることが望ましい）、ＳＩＲｅレポートにおける結果が、例えばイベントによってトリガされて、ＲＢＳ（例えばＲＢＳ１）から、無線リソースを制御する無線ネットワーク制御装置ＲＮＣ１へ、送信される。これについては３ＧＰＰ仕様（例えば３ＧＰＰ  ＴＳ  ２５．５１５物理レイヤ測定（ＦＤＤ））を参照されたい。イベントによってトリガされたＳＩＲｅレポートは、例えば第１の無線基地局ＲＢＳ１において設定されたＳＩＲｅ閾値に合格した（例えばＳＩＲｅ閾値を下回る）後で、送信され、また、例えば、それに続いて、突然ＳＩＲｅ値が向上した（例えばＳＩＲｅ閾値を上回る）ユーザ装置について、肯定的なＳＩＲｅレポートが送信されてもよい。またＳＩＲｅレポートは、ＳＩＲｅ閾値に合格したか否かに関係なく、所定の頻度で送信されてもよいし、あるいは、ＳＩＲｅレポートは、ＳＩＲｅ閾値に合格した後で肯定的なＳＩＲｅレポートが送信されることが可能になるまでの間、所定の頻度で送信されてもよい。これについては３ＧＰＰ仕様（例えば３ＧＰＰ  ＴＳ  ２５．５１５）を参照されたい。ＳＩＲｅレポートは、少なくともＳＩＲｅ値自体を含む。図５において、ＲＢＳ１からＲＮＣ１へのＳＩＲｅレポート矢印５２０によって図解する。更に、本発明の典型的な実施形態によれば、例えば輻輳の可能性または重大な輻輳が検出されたときにどのような動作を行いうるかを、図５に図解しており、矢印５３０ｐ、５３０ｑ、５３０ｒ、５３０ｓを参照されたい。動作メッセージ(action message)は、無線ネットワーク制御装置ＲＮＣ１から第１の無線基地局ＲＢＳ１へ送信され（５３０ｐ、５３０ｑ、５３０ｒ、５３０ｓ）、次いで、更に、第１のユーザ装置ＵＥ１へ送信される（５４０ｐ、５４０ｑ、５４０ｒ、５４０ｓ）。
【００３６】
図４において、ＳＩＲ誤り推定器４２２を図解するが、ＳＩＲ誤り推定器４２２は、ＳＩＲ推定器４２６からの入力信号４２６ａによって例えば第１のユーザ装置ＵＥ１のための無線リンクＲＬもしくは無線リンク集合ＲＬＳに関連付けられる。更に、ＳＩＲ誤り推定器４２２は、ＳＩＲｅレポート信号４２２ａを負荷制御装置４１２へ送信している。負荷制御装置４１２は、ＳＩＲｅレポートを受信する手段として動作する。本明細書の図４に図解する本発明による典型的な装置において、輻輳検出器４１３および動作制御装置４１４は共に、負荷制御装置４１２に組み込まれている。当業者なら理解するであろうが、輻輳検出器４１３および動作制御装置４１４が組み込まれた負荷制御装置４１２は、無線ネットワーク制御装置ＲＮＣ１内のどこに配置されてもよく、ソフトウェアでもハードウェアでもどちらで実施されてもよい。ＳＩＲｅレポート４２２ａは、例えば、測定されたＳＩＲｅ値が、無線ネットワーク制御装置ＲＮＣ１によって設定された第１の無線基地局ＲＢＳ１内のＳＩＲｅ閾値を下回る場合に、負荷制御装置４１２に送信されるが、これについては上の記述を参照されたい。本発明によれば、ＳＩＲ誤り（ＳＩＲｅ）レポートが無線ネットワーク制御装置ＲＮＣ１で受信されるユーザのための十分な量(Amount)（ａｔ１−変更可能）に基づいて、輻輳検出器４１３が、セル（例えばＣ１）内の潜在的な輻輳を検出する手段として動作する。図４において、本発明による典型的な実施形態が、負荷制御装置４１２の中に含まれるように提案された輻輳検出器４１３によって行われるように図解されている。更に、本発明の一実施形態によれば、輻輳検出器４１３は、多様な閾値（ａｔ１、ａｔ２、ａｔ３、ｅｔ１）を有することによって、潜在的な輻輳（輻輳の可能性）と重大な輻輳とをセル内で区別する手段として動作する。例えば、潜在的な輻輳（第１の量の閾値−ａｔ１、第２の量の閾値−ａｔ２）または重大な輻輳（第３の量の閾値−ａｔ３、第１の誤り閾値−ｅｔ１）を検出する閾値が、異なっていてもよい。無線ネットワーク制御装置ＲＮＣ１における何らかの動作をもたらす、受信手段によって受信されたＳＩＲｅレポートの量（amount，個数）についての閾値は、異なっていてもよく、従って、例えば、より高い量の閾値（例えばａｔ３）は重大な輻輳という結果になり、それに比べて、より低い量の閾値（例えばａｔ３＞ａｔ２の場合のａｔ２）は、潜在的な輻輳のみという結果になる。相対的な閾値（第１のセルＣ１におけるすべてのユーザ装置ＵＥ１−ＵＥ３の一部、例えば３０％、すなわち、ＵＥ１／（ＵＥ１＋ＵＥ２＋ＵＥ３））、すなわち量の閾値ａｔ２は、受信手段によって受信されたＳＩＲｅレポートが、検出手段によって、セルにおいて接続されている無線リンクＲＬもしくは無線リンク集合ＲＬＳの量と、比較される時の値として、利用されうる。ＳＩＲｅレポートの量が、検出手段として動作する輻輳検出器４１３によって、いつ、どのくらい長く、測定されるかについての、時間枠が判断されてもよい。例えば、時間単位で移動されうる所定のタイムウインドウの間、測定されてもよい。輻輳検出器４１３の中の検出手段によって潜在的な輻輳もしくは重大な輻輳が検出���れた場合、セル（例えばＣ１）内の本当の輻輳を回避するため、動作制御装置４１４における許可手段４１４ｐ、解放手段４１４ｑ、４１４ｒ、切替手段４１４ｓによって、多様な動作が行われうる。図４において、輻輳検出器４１３は、動作制御装置４１４へ信号４１３ａを送る。輻輳検出器４１３は、受信手段によってＳＩＲｅレポートを受信し、そして、ＳＩＲｅレポート量測定手段によってＳＩＲｅレポートの量を測定し、そして、検出手段によって潜在的な輻輳を検出することによって、潜在的な輻輳もしくは重大な輻輳を検出する。また、検出手段は、図６に関して以下に記述するＳＩＲｅ閾値と比較して、潜在的な輻輳もしくは重大な輻輳を検出することができる。動作信号は、図４の矢印４１２ａ、または図５の５３０ｐ、５３０ｑ、５３０ｒ、５３０ｓとして図解される。動作信号メッセージ４１２ａ、５３０ｐ、５３０ｑ、５３０ｒ、５３０ｓは、第１の無線基地局ＲＢＳ１内の動作制御装置４２３によって読み取られ、更に、図５の矢印５４０ｐ、５４０ｑ、５４０ｒ、５４０ｓによって図解されるように、関連付けられたユーザ装置ＵＥ１へ命令信号４２３ａが送信される。動作制御装置４１４は、例えば、潜在的な輻輳もしくは重大な輻輳が指摘された場合に、例えば第１のセルＣ１に新たなユーザ装置（ＵＥ４−ＵＥ７）を入れないようにする、許可手段として動作する。更に、潜在的な輻輳もしくは重大な輻輳が指摘された場合に、少なくとも１つのユーザ装置ＵＥ１についての無線リンクＲＬもしくは無線リンク集合ＲＬＳを解放する手段４１４ｑとして動作してもよい。更にまた、潜在的な輻輳もしくは重大な輻輳が指摘された場合に、少なくとも１つのユーザ装置ＵＥ１についての無線アクセスベアラＲＡＢを解放する手段４１４ｒとして動作してもよい。潜在的な輻輳もしくは重大な輻輳が指摘された場合に、少なくとも１つのユーザ装置ＵＥ１についての専用物理チャネルを共通物理チャネルに切り替える手段４１４ｓとして動作してもよい。動作制御装置４１４は、セルＣ１内の少なくとも１つのユーザ装置ＵＥ１について、既知のアルゴリズムに従う順序で、または、事前に定められた順序で、許可する４１４ｐ、解放する４１４ｑ、４１４ｒ、そして切り替える４１４ｓ手段として動作する。例えば、潜在的な輻輳が検出された場合、新たなユーザ装置の入場を許可しない手段が動作し、また一方で、例えば、重大な輻輳が検出された場合、無線リンクＲＬもしくは無線リンク集合ＲＬＳを解放する手段も、少なくとも１つのユーザ装置ＵＥ１について動作することに含まれる。別の例として、動作している新たなユーザ装置ＵＥ１の入場を許可しない手段だけでなく、セルＣ１内の少なくとも１つのユーザ装置ＵＥ１についての無線リンクＲＬもしくは無線リンク集合ＲＬＳを解放する手段４１４ｑをも有することによって、潜在的な輻輳と重大な輻輳とを区別することがあげられよう。そして、例えば、潜在的な輻輳が検出された場合、無線リンクＲＬもしくは無線リンク集合ＲＬＳを解放する手段は動作せず、代わりに、少なくとも１つのユーザ装置ＵＥ１についての無線アクセスベアラＲＡＢを解放する手段４１４ｒが動作する。
【００３７】
本発明の典型的な一実施形態によれば、セル（例えばＣ１）について行われることになる多様な動作は、例えば、第１のセルＣ１に新たなユーザの入場を許可しないこと、第１のユーザ装置ＵＥ１についての無線リンクＲＬもしくは無線リンク集合ＲＬＳを解放すること、または、第１のユーザ装置ＵＥ１についての関連付けられた無線アクセスベアラＲＡＢを解放すること、または、第１のユーザ装置ＵＥ１についての専用チャネルを共通チャネルに切り替えることである。
【００３８】
例えば音声、動画、電子メールというようにサービスのタイプが異なれば、サービス品質ＱｏＳの要件および符号化のスキームにも大きな違いがある。従って、１つのユーザに異なる複数の無線ベアラが割当てられている場合、セル内の輻輳を改善するため、所定の無線アクセスベアラＲＡＢが解放されてもよい。本発明によれば、潜在的な輻輳および／または重大な輻輳が検出された場合に行うことになる動作の１つは、例えば、第１のユーザ装置ＵＥ１についての無線アクセスベアラＲＡＢを解放することである。高いサービス品質ＱｏＳの無線アクセスベアラＲＡＢが解放される一方で、低いサービス品質ＱｏＳの別の無線アクセスベアラが送信を続行することを許可されてもよい。高いＱｏｓを必要とし、同様に、第１のセルＣ１内の第１から第３までのユーザ装置ＵＥ１−ＵＥ３について高い電力レベルを必要とする無線アクセスベアラＲＡＢが解放されることができれば、送信電力の合計および他のユーザへの干渉を減少させることができるため、第１のセルＣ１内の輻輳を回避することができる。
【００３９】
行うことになる動作は、１つであってもよいし、それ以上であってもよい。また、セル（例えばＣ１）内の１つ（例えばＵＥ１）について行われてもよいし、それ以上のユーザ装置（例えばＵＥ１−ＵＥ３）について行われてもよい。動作は、第１に、ＳＩＲｅレポートのうちで最悪のＳＩＲｅ値を持つユーザ装置について行われるように選択されてもよく、次いで、更に第２に、次に悪いユーザ装置を目指すことが決められる、などであってもよい。動作は、ＳＩＲｅレポートを送信したすべてのユーザ装置について、例えば所定の期間内に行われるように選択されてもよいし、あるいは、誤り閾値ｅｔ１を下回るＳＩＲｅ値を持つＳＩＲｅレポートを送信したすべてのユーザ装置について行われるように選択されてもよい。
【００４０】
例えば、ＳＩＲｅ＝ＳＩＲ−ＳＩＲｔに従ってＳＩＲｅが測定されてもよい。そのとき最適なＳＩＲｅ値は、できる限りゼロに近い値であり、ＳＩＲｔはユーザ装置によって経験されるＳＩＲよりも通常は高いので、マイナスのＳＩＲｅは、非常に起こりやすい。従って、多くのユーザ装置のグループの中で最悪のＳＩＲｅ値を経験しているユーザ装置は、そのとき最もマイナスのＳＩＲｅを持つユーザ装置である。
【００４１】
図６のフローチャート６００は、本発明の典型的な実施形態を図解するが、本発明によれば、ＳＩＲ誤りＳＩＲｅレポートが第１の無線ネットワーク制御装置ＲＮＣ１で受信されるような通常のレポーティングシステムが、第１のセルＣ１内のユーザ装置の輻輳検出を組み込むように修正される。第１のステップ６０１において、複数のＳＩＲｅレポートが受信される。信号対干渉比誤りＳＩＲｅレポートはそれぞれ、例えば第１のユーザ装置ＵＥ１によって用いられる無線リンクＲＬもしくは無線リンク集合ＲＬＳによって関連付けられる、測定された信号対干渉比ＳＩＲ、および信号対干渉比目標値ＳＩＲｔに基づいて、推定される。次のステップ６０２において、ＳＩＲｅレポートは受信済みであり、ＳＩＲｅレポートの量が、第１のセルＣ１について測定される。更に、ステップ６０３において、測定されたＳＩＲｅレポートの量が、ＳＩＲｅレポートの所定の第１の量（ａｔ１）の閾値と比較される。ＳＩＲｅレポートの量が所定の第１の量の閾値ａｔ１を上回る場合、ステップ６０４において、第１のセルＣ１内の潜在的な輻輳が検出される。ステップ６０３において、測定されたＳＩＲｅレポートの量が、前記第１のセルＣ１において接続されている無線リンクＲＬもしくは無線リンク集合ＲＬＳの量と比較された場合にも、もし相対的な測定値が、例えば、前記第１のセル（Ｃ１）について所定の第２の量の閾値（ａｔ２）を上回るならば、第１のセルＣ１において潜在的な輻輳が検出されてもよい。
【００４２】
第１のセルＣ１内の第１から第３までのユーザ装置ＵＥ１−ＵＥ３の一部、例えば３０％が、輻輳が検出されるレベルであると設定されているＳＩＲｅレポートの量である場合にも、すなわち、第１のセルＣ１において接続されている無線リンクＲＬもしくは無線リンク集合ＲＬＳの量に比べて第１のセルＣ１について受信されたレポートの量が、第１のセルＣ１についての所定の第２の量の閾値（ａｔ２）を上回るかどうかについて推定される場合にも、潜在的な輻輳の検出が行われうるとして説明されてもよい。
【００４３】
ステップ６０５において、測定されたＳＩＲｅレポートの量が、ＳＩＲｅレポートの所定の第３の量の閾値（ａｔ３）と比較される。ＳＩＲｅレポートの量が、所定の第３の量の閾値ａｔ３を上回る場合、ステップ６０６において、第１のセルＣ１における重大な輻輳が検出される。更に、ＳＩＲｅレポートの量が第１のセルＣ１について所定の第３の量の閾値ａｔ３を上回る場合だけでなく、所定の第１の誤り閾値ｅｔ１を下回るＳＩＲｅを有する場合にも、重大な輻輳が検出されてもよい。更に、ステップ６０７において、潜在的な輻輳もしくは重大な輻輳が検出されるかどうかに応じて、少なくとも１つのユーザ装置（ＵＥ１）について方法のステップ（ｑ、ｒ、ｓ）で記述した最大３つの異なる動作が行われてもよいし、また、新たなユーザ装置の入場が許可されない方法のステップ（ｐ）としての１つの動作が行われてもよい。当業者であれば理解するように、ユーザ装置についてのＳＩＲの改善のため、ＣＤＭＡをベースにしたセルラー方式の通信システムの仕様において記述されるような、さらなる方法のステップおよびその方法を実行する手段が適用されてもよい。ステップｐにおいて、第１のセルＣ１において新たなユーザ装置の入場は許可されず、更にステップｑにおいて、無線リンクＲＬもしくは無線リンク集合ＲＬＳが、少なくとも１つのユーザ装置について解放されてもよい。無線リンクＲＬもしくは無線リンク集合ＲＬＳの解放は、無線アクセスベアラＲＡＢの解放とは合体されないが、それは、無線リンクＲＬもしくは無線リンク集合ＲＬＳがなければ、無線アクセスベアラＲＡＢは、その無線リンクＲＬもしくは無線リンク集合ＲＬＳ上において解放され得ないからである。ステップｒにおいて、無線アクセスベアラＲＡＢが、少なくとも１つのユーザ装置について解放されてもよい。更に、その無線アクセスベアラＲＡＢは、最高のサービス品質ＱｏＳを持つ１つのユーザ装置についての無線アクセスベアラＲＡＢを最初に解放するように選択されてもよい。ステップｓにおいて、少なくとも１つのユーザ装置ＵＥ１のための専用物理チャネルが、第１のセルＣ１の中で共通物理チャネルに切り替えられる。
【００４４】
当業者なら理解するように、本発明の用途は決して、ＷＣＤＭＡ仕様に準拠するセルラー方式無線通信ネットワークに限定されない。従って本発明は、他の符号分割多元接続（ＣＤＭＡ）ベースのセルラー方式通信システム、例えば、ＵＬ電力制御が信号対干渉比ＳＩＲとＳＩＲ目標値ＳＩＲｔとの比較に基づいて行われる、ＩＳ−９５あるいはＣＤＭＡ−２０００仕様に従うセルラー方式ネットワークにも応用できる。
【図面の簡単な説明】
【００４５】
【図１】無線通信ネットワークとユーザ装置とを含む無線通信システムの概略図である。
【図２】無線通信システムにおけるユーザ装置についてのＳＩＲ分布を図解する曲線グラフである。
【図３】無線基地局を図解するブロック図である。
【図４】本発明の典型的な実施形態による、典型的な無線ネットワーク制御装置を含む無線通信システムを図解するブロック図である。
【図５】本発明による、ユーザ装置と無線基地局と無線ネットワーク制御装置との間の典型的な通信フローを図解する信号図である。
【図６】本発明による、セル内の輻輳を検出する典型的な方法を図解するフローチャートである。
【図１】
2008532360.tif 000005
【図２】
2008532360.tif 000006
【図３】
2008532360.tif 000007
【図４】
2008532360.tif 000008
【図５】
2008532360.tif 000009
【図６】
2008532360.tif 000010
【国際調査報告】
2008532360.tif 000011
2008532360.tif 000012